Podtech/llm-jp-corpus-v4-ja_patent huggingface dataset:
(57)【要約】      （修正有） 【課題】  換気風量の不足により冷媒液が十分に蒸発出来ず、冷媒ガス循環量が不足となり能力が著しく低下することを防止する。【解決手段】  吸熱用水熱交換器４を増設し、換気用空気熱交換器２と連動して機能させ冷媒を完全に蒸発・ガス化させ、もって冷媒ガス循環量の増大を図りヒートポンプ成績係数の向上を実現する。このシステムによりエネルギー消費の大幅な省力化を図る事が出来る。【選択図】  図１
2006329605.tif 000002
【特許請求の範囲】
【請求項１】
圧縮機５は暖房用熱交換器６と連結し膨張弁８を経由して換気用空気熱交換器２に接続している。
【請求項２】
換気用空気熱交換器２は冷媒配管にて吸熱用水熱交換器４と接続し、更に圧縮機５と連結している。
【請求項３】
吸熱用水熱交換器４には温水配管にて冷媒蒸発用温水が送水されている。
【請求項４】
暖房用熱交換器６は暖房用循環ポンプ７により暖房用温水が循環出来る様になっている。本発明のもっとも大きな特徴は、吸熱用水熱交換器４において暖房用温水の一部を熱源として液ガス混合冷媒を完全にガス化させる事により、冷媒ガスの蒸発循環量を増大させ、更に換気用空気熱交換器２に着霜しなくなる高効率暖房装置である。
【発明の詳細な説明】
【技術分野】
【０００１】  本発明はヒートポンプによる暖房装置に関するものである。
【背景技術】
【０００２】  ヒートポンプによる換気排熱利用の暖房システムは住宅の換気風量を熱源とする為に熱原量が住宅の規模に制約されて、ヒートポンプの熱源として十分に確保する事が出来なかった。その為、換気用空気熱交換器２は着霜がひどく、ヒートポンプの能力が急激に低下せざるを得ず、著しいエネルギー無駄使いとなっている。
【発明の開示】
【発明が解決しようとする課題】
【０００３】  換気排熱利用ヒートポンプの熱源である換気風量が建物規模によって制約され、ヒートポンプを運転するのに十分な熱源量を確保することが出来ない場合がある。熱源空気量が不足すると、ヒートポンプの蒸発過程において冷媒液は十分にガス化出来なくなる。その結果、冷媒循環量が不足となり、ヒートポンプの能力が急激に落ちる事となる。この為、冷媒液を十分に蒸発ガス化させる為に熱源不足を補完しなければならないと言う課題がある。
本発明は吸熱用水熱交換器４を装着し、換気用空気熱交換器２において蒸発・ガス化しきれなかった冷媒液を、暖房用温水の一部を熱源として完全に蒸発・ガス化させる。冷媒ガス量は増大しヒートポンプの加熱能力が増大し、システムの成績係数（ＣＯＰ）向上が図られ、エネルギー消費の大幅な削減が可能となる。
【課題を解決するための手段】
【０００４】  本発明は圧縮機５と暖房用熱交換器６を冷媒配管にて接続し、膨張弁８を経由して換気用空気熱交換器２と連結してある。換気用空気熱交換器２は冷媒配管により吸熱用水熱交換器４と結ばれており、更に圧縮機５に接続している。この時は吸熱用水熱交換器４は温水配管により暖房用温水の一部を循環送水出来る様になっている。更に暖房用水熱交換器４は暖房用循環ポンプ７により暖房用温水を循環出来る暖房用温水配管が接続されている。
循環出来る暖房用温水配管が接続されている。
本発明は以上に述べた構造となっている。換気用空気熱交換器２において換気風量不足により蒸発・ガス化しきれなかった液ガス混合冷媒は吸熱用水熱交換器４において更に蒸発・ガス化し、冷媒は完全にガス化されて圧縮機５に送られる。この結果冷媒ガス循環量が増大し、本システムの加熱能力が大幅に向上し、成績係数（ＣＯＰ）も飛躍的に向上する。
【発明の効果】
【０００５】  １．積雪寒冷地においてもヒートポンプ暖房が可能となる。
２．エネルギー消費の大幅な削減と二酸化炭素の排出抑制効果が極めて高い。
【実施例】
【０００６】  本発明には次のような実施例がある。
【実施例１】
【０００７】  換気排熱が不足しても高効率で暖房運転が出来る本発明による実施例。
【図面の簡単な説明】
【０００８】
【図１】本発明の概要図  暖房運転冷媒回路図  本発明による暖房運転時の冷媒循環回路を以下に示す。  １．暖房運転（図１）  ５−６−８−２−４−５
【符号の説明】
【０００９】        １．換気装置                    ７．暖房用循環ポンプ
２．換気用空気熱交換器          ８．膨張弁
３．換気出口
４．吸熱用水熱交換器
５．圧縮機
【図１】
2006329605.tif 000003
(57)【要約】【課題】バーナーから発生する火力の燃焼効率は低く、仕事への効率へも影響があった。【解決手段】液体燃料の入ったタンク１にマイクロ気体発生器５を設置して液体燃料内に気泡を発生させる。【選択図】図１
2006329603.tif 000002
【特許請求の範囲】
【請求項１】
マイクロ気体発生器をタンク内の液体燃料に対し使用することを特徴とする液体燃料の燃焼効率向上である。
【発明の詳細な説明】
【技術分野】
【０００１】  この発明は、液体燃料を燃やす燃焼バーナーの効率向上に関する。
【背景技術】
【０００２】  従来は図２に示すように、タンクからポンプを通し、液体燃料をバーナーで燃やしていた。
【発明の開示】
【発明が解決しようとする課題】
【０００３】しかしながら、以上の技術によれば、バーナーから発生する液体燃料の粒子は５０μｍほどのサイズであり、火力の燃焼効率が低い。  そこで、この発明は、マイクロ気体発生装置をタンクに取り付け、液体燃料に気体を送り込みバーナーから発生する液体燃料の粒子５０μｍの中に、５〜１０μｍの気体を入れ、火力の向上を提供することを課題とする。
【課題を解決するための手段】
【０００４】  以上の課題を解決するために、第一発明は、マイクロ気体発生器を使用することを特徴とする液体燃料の燃焼効率向上である。
【発明の効果】
【０００５】  第一発明によれば、マイクロ気体発生器を使用することによってバーナーから発生する液体燃料の燃焼効率が向上する。
【発明を実施するための最良の形態】
【０００６】  この発明の一実施形態を、図１に示す。
マイクロ気体発生器５はタンクに取り付け、タンク１内の液体燃料に気泡を発生させる。液体燃料はポンプ２によってバーナー３に送られる。【０００７】「実施形態の効果」
この実施形態によれば、マイクロ気体発生器の働きによって液体燃料内に発生する気泡により、バーナーから放出される火力の燃焼が向上される。
【図面の簡単な説明】
【０００８】
【図１】  この発明の一実施形態を示す図である。
【図２】  従来技術を示す図である。
【符号の説明】
【０００９】  １  タンク（液体燃料）        ２  ポンプ
３  バーナー                  ４  火
５  マイクロ気体発生器
【図１】
2006329603.tif 000003
【図２】
2006329603.tif 000004
(57)【要約】      （修正有） 【課題】  麦茶、その他のお茶を沸かしたやかん等の高温容器を冷蔵庫に入れる前に、水道水等を長時間たれ流しにして冷却しているため、水をむだに使用し、水道料金をむだに出費している。このときの水道水等の長時間のたれ流しを防止した容器の冷却方法を提供する。【解決手段】  一定量の水を封入した蓋付容器からなる小型冷蔵庫に、麦茶、その他のお茶を沸かしたやかん等の高温の容器を入れ、冷却することにより、水、水道料金の節約が出来る。【選択図】  図１
2006329607.tif 000002
【特許請求の範囲】
【請求項１】
水のむだをなくし、一定の水量で麦茶、その他のお茶を冷し冷蔵庫へ入れる事なく、やかんを入れる容器を特徴とする小型冷蔵庫。
【発明の詳細な説明】
【技術分野】
【０００１】  季節限定ではありますが、夏になるとやかんで麦茶、その他のお茶などを沸かし、やかんに入る位の容器に入れ早く冷える様にやかんにあたる様にして、適量の水量で水を流し続けるのを防止して水の節約になり水道料金もむだな出費をせずにおさえられる。
【背景技術】
【０００２】  夏になると、やかんで、麦茶、その他のお茶を沸騰させるとやかんが入る容器に入れ水道水を流していると、３０分で冷えているのに他の仕事をしていて忘れがちになり長時間水をたれ流し続けるので水道水を使いすぎしている事が多い。
【発明の開示】
【発明が解決しようとする課題】
【０００３】  夏になると、冷やして飲む事が多いわけですが、冷蔵庫に入る前に水道水で冷やすのですが、この時に流す水はたれ流しでむだにしている。やかんが入る容器にして一定の水だけで冷やしていく小型冷蔵庫。
【課題を解決するための手段】
【０００４】  沸湯したやかんを冷やすと同時に、冷蔵庫に入れる手間が省ける。
【発明の効果】
【０００５】  冷蔵庫には、すでにいろんな食材が入っているので食材を動かす必要がない。
【発明を実施するための最良の形態】
【０００６】  （５）小型冷蔵庫本体の下（底）の中に（１）のやかん本体を入れ（１０、１１）の水量を確めて（８）の電気コードをプラグに差し（１４）電気のスイッチを入れる。冷えて水量がへった場合（１２）のランプが点めつして音がする。やかん本体を入れた場合、すぎた場合も（１３）のランプが点めつしてやかん本体を入れた時、多すぎた場合も（１３）のランプが点めつしてブザーがなる。電気のスイッチを入れてから（６）小型冷蔵庫のフタをしめる。沸いているので（７）の空気穴で空気の入れ替えが出来る。（９）冷やす時の弱強の温度調節ダイヤルで調節する。従来の麦茶の冷やし方は（１）やかん本体を（２）やかん本体が入る位の容器に（１）やかん本体を入れ、（３）水道水を流し（４）たれ流しの状態になっている。
【実施例】
【０００７】  沸騰したやかんに、あら熱を取り、小型冷蔵庫に入れ冷やす事になると水道料金の節約になる。水の使いすぎにならない。時間給水になる事がない。
【産業上の利用可能性】
【０００８】  夏になると、麦茶、その他のお茶を冷やす事が多いので、沸湯したやかんを冷やすのに水のたれ流しにならず、水の節約になり、飲料水が足りずに時間給水や給水制限になる事がない小型冷蔵庫。
【図面の簡単な説明】
【図１】  本発明に係る小型冷蔵庫の外観斜視図を示している平面図である。
【図２】  本発明に対応する従来例を示す外観斜視図を示している平面図である。
【符号の説明】
【０００９】１    やかん本体
５    小型冷蔵庫本体の下（底）
６    小型冷蔵庫本体の上（フタ）
７    空気穴
８    電気コード
９    冷やす時、弱・強の温度調節ダイヤル
１０  水量
１１  水量のメモリ
１２  水量が少なすぎても点めつしてブザーがなる。
１３  水量が多すぎても点めつしてブザーがなる
１４  電気のスイッチ切・入
【図１】
2006329607.tif 000003
【図２】
2006329607.tif 000004
(57)【要約】      （修正有）【課題】自己支持型ケーブルが備えている形態をそのまま利用して、該ケーブルに対して螺旋状ハンガーを確実に固定できる装置を提供する。【解決手段】自己支持型ケーブル１に掛止した、螺旋状ハンガａーの掛止部分を係合溝７において係合した主体片の前記係合溝７を介する両側のそれぞれに、前記自己支持型ケーブル１の支持線部１ａとケーブル部１ｂ間に形成された凹入１ｄ部に一端を係合した挟持片３を重ね合わせ、ボルト４およびナット５で互いに締付ける。【選択図】図１
2006329298.tif 000002
【特許請求の範囲】
【請求項１】
自己支持型ケーブルに掛止した、螺旋状ハンガーの掛止部分を係合溝において係合した主体片の前記係合溝を介する両側のそれぞれに、前記自己支持型ケーブルの支持線部とケーブル部間に形成された凹入部に一端を係合した挟持片を重ね合わせ、ボルトおよびナットで互いに締付けた、ケーブル用螺旋状ハンガーの自己支持型ケーブルに対する固定装置。
【発明の詳細な説明】
【技術分野】
【０００１】
本発明は、ケーブルを支持するために支持線代りの自己支持型ケーブルに巻き付けて用いる螺旋状ハンガーを、前記自己支持型ケーブルに締付けるために用いる、ケーブル用螺旋状ハンガーの自己支持型ケーブルに対する固定装置に関するものである。
【背景技術】
【０００２】
支持線に螺旋状ハンガーを固定する構造のものとしてはボルトとナットによって互いに締付けた一対の挟持片間に螺旋状ハンガーと支持線を介在させ、ハンガー側を一方の挟持片に設けた係合溝に、支持線側を他の一方の挟持片に設けた係合溝に係合させて構成したものがある（例えば、特許文献１）。
【０００３】
そして、前記の支持線に代えて自己支持型ケーブルに螺旋状ハンガーを巻き付けて使用する場合は、例えば、前記構造のもの（固定具）を用いる等しており、そのためには自己支持型ケーブルの構造上、該ケーブルと螺旋状ハンガーを一対の挟持片で締付けることができないので、自己支持型ケーブルの支持線部とケーブル部との間に存する接続部（頸部）に二次加工を施して窓孔を設け、該窓孔を通じて一方の前記挟持片を自己支持型ケーブルに組合わせ、該挟持片に相対する他の一方の前記挟持片とで螺旋状ハンガーと自己支持型ケーブルの支持線とを締付け、挟持する構造を採用している。
【０００４】
【特許文献１】特開２０００−１８８８１７号公報
【発明の開示】
【発明が解決しようとする課題】
【０００５】
前記従来例は、自己支持型ケーブルに二次加工して窓孔を作るものであるから、その作業が煩雑であるばかりでなく、作業精度によってケーブル部に損傷を与えることも考えられ、必ずしも実用的とはいえない。
【０００６】
本発明は、従来例の斯様な欠点に着目し、自己支持型ケーブルが備えている形態をそのまま利用して作業性も不都合のない、ケーブル用螺旋状ハンガーの自己支持型ケーブルに対する固定装置を提供すべく創案したものである。
【課題を解決するための手段】
【０００７】
自己支持型ケーブルに掛止した、螺旋状ハンガーの掛止部分を係合溝において係合した主体片の前記係合溝を介する両側のそれぞれに、前記自己支持型ケーブルの支持線部とケーブル部間に形成された凹入部に一端を係合した挟持片を重ね合わせ、ボルトおよびナットで互いに締付けた構成としたものである。
【発明の効果】
【０００８】
本発明によれば、自己支持型ケーブルに螺旋状支持具を確実に固定できることは勿論、自己支持型ケーブルに損傷を与えることなく該ケーブルに螺旋状ハンガーを固定することができ、ボルトとナットによって主体片と一対の挟持片を互いに締付けて足りるから作業性のある装置を提供できる。
【実施例】
【０００９】
図面は本発明に係る、ケーブル用螺旋状ハンガーの自己支持型ケーブルに対する固定装置の一実施例を示し、図１は正面図、図２は平面図、図３は側面図である。
【００１０】
本発明に係る装置は、支持線部１ａとケーブル部１ｂを接続部（頸部）１ｃを介して接続し、前記支持線部１ａとケーブル部１ｂとの間に凹入部１ｄが形成された自己支持型ケーブル１に巻きつけて、自己支持型ケーブル１の直下においてケーブルを吊下するために用いる、螺旋状ハンガーａを前記自己支持型ケーブル１に固定するために適用するもので、自己支持型ケーブル１と螺旋状ハンガーａとに組付ける主体片２と一対の挟持片３，３およびボルト４とこれに螺合するナット５を互いに組合わせて構成したものである。
【００１１】
主体片２は、屈曲部片８を下方に向けて設けた相対する両端部に前記ボルト４を貫通させる透孔６を設け、該透孔６，６間の中間部の下面に前記螺旋状ハンガーａの係合溝７を設けたものである。
【００１２】
また、前記挟持片３は一端側に前記屈曲部片８と一致する上方に向けて突設した屈曲部片９を備え、該屈曲部片９側の一端と対応する他の一端に折り曲げ状にして自己支持型ケーブル１の前記凹入部１ｄに係合する係合部片１０を設け、前記両端間の中間部には前記ボルト４の透孔１１を設けて構成したものである。
【００１３】
しかして、主体片２に設けた透孔６，６のそれぞれに透孔１１を一致させるように前記主体片２に挟持片３を重ね合わせ、各透孔６，１１に透孔１１側から前記ボルト４を貫通させて透孔６より突出するボルト４先端にナット５を緩く螺合して主体片２と一対の挟持片３，３を組合わせ、主体片２に設けた係合溝７に自己支持型ケーブル１の支持線部１ａに掛止した螺旋状ハンガーａの掛止部分を係合する一方、各挟持片３の一端に設けた係合部片１０を自己支持型ケーブル１の支持線部１ａとケーブル部１ｂとの間すなわち凹入部１ｄに係合し、他の一端側の屈曲部片９を主体片２側の屈曲部片８に重ね合わせ、前記ナット５を締め付けることによって実施例装置とするのである。
【００１４】
なお、主体片２側の、下方に向けた屈曲部片８と挟持片３側の上方に向けた屈曲部片９を、先端面同士を一致させて重ね合わせているのは、係合部片１０が自己支持型ケーブル１の支持線部１ａの直下に位置しているのと同様、ボルト４とナット５による締付けによって挟持片３の主体片１方向の移動を規制して安定した固定状態を確保するためである。従って、屈曲片８，９は、いわばスペーサの機能をなすものであるから、屈曲片８，９中の一方を省略して省略した側に屈曲片８又は９の先端面が当接するようにしても良い。
【図面の簡単な説明】
【００１５】
【図１】正面図。
【図２】平面図。
【図３】側面図。
【符号の説明】
【００１６】
１      自己支持型ケーブル
１ａ    支持線部
１ｂ    ケーブル部
１ｄ    凹入部
２      主体片
３      挟持片
４      ボルト
５      ナット
７      係合溝
【図１】
2006329298.tif 000003
【図２】
2006329298.tif 000004
【図３】
2006329298.tif 000005
(57)【要約】【課題】電磁クラッチがＯＮした時、ベーンがシリンダ内面に衝突する時発生するベーンノイズをより小さくすることを可能とするベーンロータリ圧縮機を提供すること。【解決手段】ベーン先端に伸縮する構造のベーン先端部１を設けたもので、ベーン先端部１の下部に弾性体を備え、ベーン５４がシリンダ内面５９に衝突する時、ベーン先端部１がシリンダ内面５９との衝突が緩和され、ベーンノイズがより小さくなる、また弾性体２により衝突音が吸収されさらにベーンノイズが小さくなる。【選択図】図５
2006329103.tif 000002
【特許請求の範囲】
【請求項１】
内部に筒状の中空部を有するシリンダと、外周部の少なくとも一部が前記シリンダの内壁面に近接して回転自在に配設される略円筒状のロータと、前記ロータには略放射状に複数のベーン溝を有し、前記ベーン溝内に摺動自在に挿入され、先端が前記シリンダ内壁面に当接し、前記シリンダと前記ロータ相互間に形成された圧縮空間を少なくとも吸入空間と吐出空間に仕切るベーンと、シリンダの両端を閉塞し圧縮室を構成する前部側板および後部側板と、前記吸入空間に連通する吸入孔及び前記吐出空間に連通する吐出孔を備えたベーンロータリ圧縮機であって、前記ベーン先端部を伸縮自在としたことを特徴とするベーンロータリ圧縮機。
【請求項２】
バネ構造を利用し伸縮自在とした請求項１に記載のベーンロータリ圧縮機。
【請求項３】
ゴムを利用し伸縮自在とした請求項１に記載のベーンロータリ圧縮機。
【請求項４】
樹脂を利用し伸縮自在とした請求項１に記載のベーンロータリ圧縮機。
【発明の詳細な説明】
【技術分野】
【０００１】
本発明は車両空調用ベーンロータリ型圧縮機に関するものである。
【背景技術】
【０００２】
従来、この種の車両用ベーンロータリ圧縮機は、エンジンの駆動力をベルトを介して電磁クラッチ６０のプーリを回転させ、電磁クラッチのＯＮ／ＯＦＦにより圧縮運転をする。
【０００３】
図３〜図５は、特許文献１に記載された従来のベーンロータリ圧縮機を示すものである。図５に示すように、シリンダ５１と、ロータ５２と、ベーンスロット５３と、ベーン５４と、吸入口５５と、作動室５６、吐出口５７と、吐出弁５８等から構成されている。
【０００４】
電磁クラッチ６０がＯＮするとロータ５２が回転しベーンスロット５３部の圧力が上がりベーン５４がロータ５２の溝より飛び出し、ベーン先端部がシリンダ内面５９に衝突し、やがてベーン５４の先端部はシリンダ内面５９に内接し、作動室５６で冷媒が圧縮され吐出口５７より吐出される。
【特許文献１】特開２００３−０９０２８６号公報
【発明の開示】
【発明が解決しようとする課題】
【０００５】
しかしながら、前記従来の構成では、ベーンスロット５３部の背部の圧力が上がり、ベーン５４がロータ５２の溝部から飛び出した時、ベーン５４がシリンダ内面５９に衝突する時に発生する音の課題を有している。
【０００６】
本発明は、前記従来の課題を解決するもので、電磁クラッチＯＮ時に、ベーンがシリンダ内面に衝突する時発生する音（以後ベーンノイズと言う）をより小さくすることを可能とするベーンロータリ圧縮機を提供することを目的とする。
【課題を解決するための手段】
【０００７】
前記従来の課題を解決するために、本発明のベーンロータリ圧縮機は、ベーンに伸縮するベーン先端部を設けたものである。
【０００８】
これによって、圧縮機の電磁クラッチがＯＮする時ベーン先端がシリンダ内面に衝突する時発生する異音をほとんどなくする事が可能となる。
【発明の効果】
【０００９】
本発明のベーンロータリ圧縮機は、電磁クラッチのＯＦＦからＯＮ時、ロータからベーンが飛び出しシリンダに衝突する時に発生する異音を低減することを可能とする。
【発明を実施するための最良の形態】
【００１０】
第１の発明は、ベーンの先端を伸縮自在としたことにより、電磁クラッチがＯＦＦからＯＮ時にベーンがロータより飛び出しシリンダ内壁に衝突して発生する音を低減することができる。
【００１１】
第２の発明は、バネ構造を利用することにより、先端部が伸縮しベーンのシリンダへの衝突音を低減することができる。
【００１２】
第３の発明は、ゴムを利用したもので、ベーンのシリンダへの衝突音を低減することができる。
【００１３】
第４の発明は、高温耐久性のある樹脂を利用したもので、ベーンのシリンダへの衝突音を低減することができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態におけるベーン先端部を示すものである。ベーン５４は、その先端部１を伸縮自在としたものであり、その先端部１がベーン５４の内部にバネ２を介してスライドするようになっている。
【００１６】
図２は本発明の第２の実施形態で、先端部１の形状を変形させたものである。
【００１７】
以上のように構成されたベーンロータリ圧縮機について、以下その動作、作用を説明する。
【００１８】
まず、電磁クラッチがＯＦＦするとロータ５２の回転は止まり、ベーンスロット５３部の圧力が小さくなるため、ベーン５４の先端部１はシリンダ内面５９より離れロータ５２の溝３の中に入り込む。クラッチがＯＮするとベーン５４にベーンスロット５３部の背圧が高くなるため、ベーン５４はロータ５２の溝より飛び出しベーン５４の先端がシリンダ内面５９に衝突し、やがてはシリンダ内面に当接する。本発明は、ベーン５４の先端部１を伸縮性のある構造にすることにより、ベーン５４のシリンダ内面５９への衝突を和らげ、衝突する時発生する音も低減することができる。  
【００１９】
上記では、バネを用いることで説明したが、ゴム材料や樹脂材料を用いることも可能であり、同様の作用効果を発揮する。
【図面の簡単な説明】
【００２０】
【図１】本発明の実施の形態１における圧縮機のベーンと、そのＡ−Ａ断面図
【図２】本発明の実施の形態２における圧縮機のベーンと、そのＡ−Ａ断面図
【図３】従来の圧縮機の外観図
【図４】従来の圧縮機の断面図
【図５】従来の圧縮機のＢ−Ｂ断面図
【符号の説明】
【００２１】
１  先端部
２  バネ
５１  シリンダ
５２  ロータ
５３  ベーンスロット
５４  ベーン
５５  吸入口
５６  作動室
５７  吐出口
５８  吐出弁
５９  シリンダ内面
６０  電磁クラッチ
【図１】
2006329103.tif 000003
【図２】
2006329103.tif 000004
【図３】
2006329103.tif 000005
【図４】
2006329103.tif 000006
【図５】
2006329103.tif 000007
(57)【要約】【課題】  大きさの異なる（大、中、小）マクラにもフィットして、マクラを清潔に保つ為のマクラカバーを提供する。【解決手段】  布などの生地（１）伸縮ネット（２）が一体化してあり、内側に両口ポケット（３）が付いていて、そこに吸収シート（４）等を入れられることを特徴とする。【選択図】  図１
2006136678.tif 000002
【特許請求の範囲】
【請求項１】
布などの生地（１）に伸縮ネット（２）が一体化してあり、内側に両口ポケット（３）が付いているマクラカバー。
【発明の詳細な説明】
【技術分野】
【０００１】  この発明はマクラカバーと伸縮ネットが一体化した、マクラカバーに関するものである。
【背景技術】
【０００２】  従来は、布は布だけの物や吸収シート固定型、使い捨てタイプの物しか無かった。
【発明の開示】
【発明が解決しようとする課題】
【０００３】  これは次のような欠点があった。
（イ）布などの生地、だけだと伸縮せず固定された型のマクラカバーにしか使えなかった。
（ロ）マクラカバーなのに汗などでマクラが汚れるのを防げなかった。
【課題を解決するための手段】
【０００４】  布などの生地（１）に伸縮ネット（２）が一体化してあり、内側に両口ポケット（３）が付いていて、そこに吸収シート（４）等を入れて使用する。
本発明は、以上のような形によりなるマクラカバーである。
【発明の効果】
【０００５】  発明は以上のような形からなる物なので、これを使用すると大きさが違う大、中、小のマクラにフィットし、汚れたら洗って何度でも使える。
なお図２に示すように内側に両口ポケット（３）を付けず、吸収シート（４）を上からマジックテープ（５）でひくようにしてもマクラに汚れは行かない。
【発明を実施するための最良の形態】
【０００６】  以下、本案の実施の形態について説明する。
（イ）布などの生地（１）に伸縮ネット（２）が一体化してたり内側に両口ポケット（３）が付いていて、そこに吸収シート（４）等を入れて使用する。
【図面の簡単な説明】
【０００７】
【図１】  本発明の傾斜図
【図２】  本発明の他の実施例の傾斜図
【符号の説明】
【０００８】  １布などの生地
２伸縮ネット
３両口ポケット
４吸収シート
５マジックテープ
【図１】
2006136678.tif 000003
【図２】
2006136678.tif 000004
(57)【要約】【課題】従来の枕は横向き寝を防止することが出来ず、枕によって顔にシワを発生させたり、化粧が落ちたり、額・頭・首部等損傷時に患部が枕に接するなどの問題点があった。【解決手段】枕にくぼみ２を設け、睡眠中顔が横に向かないようにする。横になっても鼻と口をふさがない形状にする。【選択図】図１
2006136677.tif 000002
【特許請求の範囲】
【請求項１】
枕の頭部座部に後頭部を覆い被すくぼみ設け、頭と首を固定し、頭が横向きにならないようにし、たとえ横になっても鼻と口をふさがない形状とする。
【発明の詳細な説明】
【技術分野】
【０００１】  本発明は、就寝・休息時等に使用するしわ・化粧くずれのない枕に関する。
【背景技術】
【０００２】  従来の就寝時・休息時等に使用する枕の形状は、枕本体上の人体頭部の移動回転が容易なものであり、しわ・化粧くずれが生じる。
【発明の開示】
【発明が解決しようとする課題】
【０００３】  就寝時に顔が枕に接した場合、顔にしわが発生するという問題点、および、休息時に化粧をしたまま仮眠すると枕に化粧が付着するという問題点があった。
また、額・顔・首部等に損傷がある際、頭・首部を固定して安静にしたい場合などに、従来の枕では横向き寝を防止することは不可能であった。
そこで、この発明は後頭部及び側頭部を被覆し、頭と首を固定し横向き寝を防止することが出来る枕を提供することを課題とする。
【課題を解決するための手段】
【０００４】    以上の課題を解決するために、本発明は頭部座部にくぼみを設け、後頭部及び側頭部を被覆し頭と首を固定して横向き寝を防止し、又、たとえ横向きになっても鼻と口をふさがないことを特徴とする請求項１記載の枕である。
【発明の効果】
【０００５】  本発明によれば後頭部及び側頭部を被覆し頭と首を固定して横向き寝を防止するので、枕に接することが原因によって生じる顔のしわを防ぎ、化粧落ちも発生せず、額・顔・首部等に損傷時にも損傷部を枕に接することなく安静に仰臥することが出来、たとえ横になっても鼻と口をふさがないので呼吸が出来る。
【発明を実施するための最良の形態】
【０００６】  この発明の一実施形態を、図１に示す。
枕本体は、スポンジ素材、綿素材、低反発素材、発泡スチロール素材、蕎麦殻や籾殻などの天然素材、空気素材など、全ての素材に適用できる。
枕上部１の頭頂座部には、後頭部及び側頭部を被覆するくぼみ２が設けられ、枕下部３によりたとえ横向きになっても鼻と口をふさがない。
【実施例１】
【０００７】  枕に顔が接することによって生じるしわ及び化粧落ちを防止する。
【実施例２】
【０００８】  額・顔・首等の損傷時にも損傷部を枕に接することなく仰臥出来る。
【図面の簡単な説明】
【０００９】
【図１】この発明の一実施形態を示す斜視図である。
【符号の説明】
【００１０】１  枕上部
２  くぼみ
３  枕下部
【図１】
2006136677.tif 000003
(57)【要約】【課題】  骨付き肉を食べる際に生じる、直接手でつかむことで手が油で汚れる問題や、紙やアルミホイルで巻くといった資源が無駄になるという問題を解決する。【解決手段】  ２個で対の本器具を両手に持って骨付き肉の両端を挟んで固定して食べることで、手が汚れるという問題を解決する。また使用後は洗って繰り返し使用できるため資源の無駄も解決する。【選択図】  図１
2006136676.tif 000002
【特許請求の範囲】
【請求項１】
プラスチック素材もしくは金属素材により［図面］の図１の形状に形成された器具を、２点で対にして使う骨付き肉をつかんで食べるための食器。
【発明の詳細な説明】
【技術分野】
【０００１】  本発明は、骨付き肉を手を汚さずに固定して食べる食器に関するものである。
【背景技術】
【０００２】  従来は、骨付き肉を直接手でつかんだり紙やアルミホイルで巻いたりして持って、とても食べにくかった。
【発明の開示】
【発明が解決しようとする課題】
【０００３】  本発明は、骨付き肉を食べる際の、直接手でつかむことで手が油で汚れる問題や、紙やアルミホイルといった資源が無駄になるという問題を解決する。
【課題を解決するための手段】
【０００４】  本発明は、２個で対の本器具を両手に持って骨付き肉の両端を挟んで固定して食べることで、手が汚れるという問題を解決する。また使用後は洗って繰り返し使用できるため資源の無駄も解消できる。
【発明の効果】
【０００５】  本発明は、骨付き肉を食べる際に手の汚さずに済むようになることで、肉料理を提供する飲食店においては主に女性が骨付き肉を食べる際に感じる、見た目の品の無さを軽減できる。家庭においてはこれまで使っていた紙やアルミホイルといった資源の無駄を削減できる。また紙やアルミホイルで巻かれた部分はこれまで食べ残しになりがちだが、この器具の使用によって食べにくい部分が減り、ゴミの減量にもつながる。さらには使用時に強い力を必要とせずに骨付き肉を固定できるため握力の弱い方でも使用が容易である。
【発明を実施するための最良の形態】
【０００６】  図１の形状のプラスチック素材もしくは金属素材により構成される器具を２点で対とする。また図２に示すように、骨付き肉をつかむ際に指で器具を上下から押すことで通常開いている部分が閉じ、押すのを止めると器具の素材が反動で元の状態に戻る性質を利用して開く作りになっている。開閉部分はラムチョップなど細い骨からスペアリブなど太い骨まで対応できるサイズとし、実際に骨の両端に当たる部分は直線にせず曲線とし、さらに安定性を増すために波状のギザギザをつける。
【実施例】
【０００７】  実施例を説明すると図３に示すように、左右の手に各々この器具を持ち、骨付き肉の両端をつかんで食べる。
【図面の簡単な説明】
【０００８】
【図１】器具の構造を図示したものである。２個を対にして両手で用いる。通常は骨を挟む部分は開いているが、手の力によって骨を挟んで用いる。
【図２】器具の可動部分の様子を図示している。左側が通常の開いた様子で、右側は手の力によって閉じた様子である。
【図３】器具を用いて骨付き肉をつかんだ様子を図示したものである。
【符号の説明】
【０００９】１  骨部分を掴んだ際の安定性を増すためにつけた波状のギザギザ。
２  本発明の器具。
３  骨付き肉の両端の骨部分。
【図１】
2006136676.tif 000003
【図２】
2006136676.tif 000004
【図３】
2006136676.tif 000005
(57)【要約】      （修正有）【課題】固形石けんを滑りにくく，小さくなっても泡立たせ易くする。【解決手段】固形石けん１ポリエチレンや樹脂やナイロン製の細く，やわらかいネット２で包み込んで，すべらなくし，又最後の最後まで不便なく泡立たせられるようにする。【選択図】図１
2006136700.tif 000002
【特許請求の範囲】
【請求項１】
固形石けんをポリエチレン樹脂やナイロン製の細くやわらかい材質のこまかいネットで包み込んだ物。
【発明の詳細な説明】
【技術分野】
【０００１】洗浄、洗顔用固形石けん
［背景技術］【０００２】固形石けんはその材料を型に入れて固めてあり、それをそのままパッケ−ジングして販売されています。
使用者はその固形石けんを取出して、水を使いながらこすり合わせて泡立て使用します。その時ツルッとすべり落ちることがあります，石けんだから仕方ないと言えば仕方ないことではあるのですが，小さな子供さんや高齢者、手の不自由な方にとってはこんなことでも結構大変な場合があります。
又，使用しているうちにだんだん石けんが小さくなり，洗面台の排水溝にはまってしまったりもします．そして小さくなればなるほど使いづらくもなるものです。
［発明の開示］
［発明が解決しようとする課題］【０００３】小さな子供さんや高齢者，手の不自由な方などハンディのある方々の為に、固形石けんがツルッとすべらない物にする．
使用して石けんがどんなに小さくなっても、不便なく最後まで使いきれるようにする。
［課題を解決するための手段］【０００４】固形石けんをポリエチレン樹脂やナイロン製の細くやわらかい材質のこまかいネットで丸ごと包み込んでしまう。ネットの穴の大きさは直径が５ｍｍ以下から１ｍｍ以上程度であれば、それ程厳密性を問うものではありません。
［発明の効果］【０００５】固形石けんをネットで包み込むことによって，使用時にツルッとすべり落ちることがないので少々身体的にハンディ−のある方でも従来のものより使いやすくなります。
浴室などで石けんを落とした場合でも，タイルの上をすべって行ってしまうことも防げます。
又、ネットに包まれているので泡立ちが良くなり使い易いと言う利点も生まれます。
更に、石けんが１ｃｍか２ｃｍほどに小さくなっても楽に泡だてることができますので，最後の最後まで不便なく使いきる事が出来ます。
石けんがすべりやすくても当たり前の事ではあるのですが，手足の不自由な方や高齢者、小さな子供さんにとっては結構大変な場合もあります。できればすべらない方がずっとありがたいものです。
この考案は特にこのような方々に大きな便利性を提供出来得るものと考えております。
［発明を実施するための最良の形態］【０００６】固形石けん全体をポリエチレン樹脂製で穴の直径が２ｍｍ程度のネットで密着させて包み込み，開放部は圧着または接着してとじる，または別紐でくくりつけても構わない。
［産業上の利用可能性］【０００７】人にやさしい便利な商品として多くの人に利用されます。
【図面の簡単な説明】
【０００８】［図１］  ネットで包み込んだ固形石けんを上から見た平面図
［図２］  ネットインソ−プの全体図
【符号の説明】
【０００９】１，  固形石けん
２，  ポリエチレン樹脂ネット
３，  ネット圧着部
【図１】
2006136700.tif 000003
【図２】
2006136700.tif 000004
(57)【要約】【課題】鼻のかめない乳幼児や、鼻を拭かれることを嫌う乳幼児の鼻水処理の困難を解消するために、鼻水を巻き取る方法で処理できる道具を提供する。【解決手段】芯２にティッシュ又は脱脂綿１を巻きつけ棒状にし、それを鼻の下にあてがい、スライドさせながら回転させ、鼻水をくるくると巻き取れるようにする。【選択図】図１
2006136699.tif 000002
【特許請求の範囲】
【請求項１】
鼻水をくるくる巻き取る道具である事。
【発明の詳細な説明】
【技術分野】
【０００１】本発明は、鼻をかめない人々の鼻水を処理できるように、ティッシュ又は脱脂綿を棒状にまとめ、鼻水をくるくると巻き取れるようにしたものである。
【背景技術】
【０００２】従来は、鼻水を巻き取って処理するものは無かった。
【発明の開示】
【発明が解決しようとする課題】
【０００３】鼻をかむ事のできない乳幼児は、鼻の拭きすぎで鼻の下が赤くただれたり、鼻を拭くことを嫌がったり、鼻をかむ事が下手な幼児では、耳を傷め、中耳炎になる原因となりえるという難点があった。本発明は、この課題を解消するためになされたものである。
【課題を解決するための手段】
【０００４】芯２に、ティッシュ又は脱脂綿１を巻きつけ、それを鼻の下でスライドさせながら回転させ、鼻水をくるくる巻き取れるようにした。
【発明の効果】
【０００５】鼻のかめない乳幼児や、鼻を拭かれることを嫌がる乳幼児でも、手早く鼻水を巻き取る事ができる。しかも、鼻の拭きすぎによって起こる鼻の下の荒れや、無理に鼻をかんで中耳炎の原因となりえる事を緩和できる。
【実施例１】
【０００６】以下、本発明の実施の形態について説明する。
（イ）．芯２にティッシュ又は脱脂綿１を、１０センチメートル程度の長さに巻きつける。
【図面の簡単な説明】
【０００７】
【図１】本発明の正面図である。
【符号の説明】
【０００８】１  ティッシュ又は脱脂綿
２  芯
【図１】
2006136699.tif 000003
(57)【要約】【課題】  あらゆるシャンプー業務において、シャワーヘッドを手から滑り落とさないようにするための、滑り止め付のシャワーヘッドを提供する。【解決手段】  シャワーヘッド本体の表面に、滑り止めとしての凹凸加工を施していることを特徴とする滑り止め付のシャワーヘッド。【選択図】  図１
2006136697.tif 000002
【特許請求の範囲】
【請求項１】
シャワーヘッド本体の表面に、滑り止めとしての凹凸加工を施していることを特徴とする滑り止め付のシャワーヘッド。
【発明の詳細な説明】
【技術分野】
【０００１】  本発明は、あらゆるシャンプー業務において、シャワーヘッドを手から滑り落とさないようにするための、滑り止め付のシャワーヘッドに関するものである。
【背景技術】
【０００２】  従来は、表面に光沢のある滑りやすいシャワーヘッドが一般的であった。
【発明の開示】
【発明が解決しようとする課題】
【０００３】  そのために次のような問題点があった。
シャンプー剤やパーマ液などが付着した手指でのシャンプー業務において、シャワ−ヘッドが手から滑り落ち、周囲に水を飛散させることも度々であった。
本発明は、以上の問題点を解決するためになされたものである。
【課題を解決するための手段】
【０００４】  シャワーヘッド本体の表面に、すべりどめとしての凹凸加工を施す。以上を特徴とする滑り止め付のシャワーヘッドである。
【発明の効果】
【０００５】  従来通りの使用方法で、表面の凹凸加工により、シャンプー剤やパーマ液などの付着した手指によるシャンプー業務においても、快適、安全な作業がおこなえる。
【発明を実施するための最良の形態】
【０００６】  以下、本発明の実施の形態を説明する。
シャワーヘッド本体（１）の表面に滑り止めとしての凹凸加工（２）を施す。
本発明は以上のような構造で、これを使用するときは、接合部（３）より既存のシャワーヘッドを取り外す。滑り止め付のシャワーヘッド本体（１）を接合部（３）に装着する。そして従来通りにシャンプー業務をおこなう。
【図面の簡単な説明】
【０００７】
【図１】  本発明の分解斜視図
【図２】  本発明の正面図
【符号の説明】
【０００８】  １    シャワーヘッド本体
２    凹凸加工
３    接合部
【図１】
2006136697.tif 000003
【図２】
2006136697.tif 000004
(57)【要約】【課題】  髪に寝癖がつかないようにするための、寝癖防止枕を提供する。【解決手段】  枕全体を先に丸みのある円柱にて構成し、頭部を面ではなく点で支える状態で使用することを特徴とする寝癖防止枕。【選択図】    図３
2006136698.tif 000002
【特許請求の範囲】
【請求項１】
枕全体を先に丸みのある円柱にて構成し、頭部を面ではなく点で支える状態で使用することを特徴とする寝癖防止枕。
【発明の詳細な説明】
【技術分野】
【０００１】  本発明は、髪に寝癖がつかないようにするための、寝癖防止枕に関するものである。
【背景技術】
【０００２】  従来は、就寝前にできるだけ髪を乾かしつつ、頭髪が乱れないように枕にそっと頭をのせていた。
【発明の開示】
【発明が解決しようとする課題】
【０００３】  そのために次のような問題点があった。
洗髪しないと取れない寝癖がついてしまい、それにより朝の貴重な時間を費やしてしまうことも度々であった。
本発明は、以上の問題点を解決するためになされたものである。
【課題を解決するための手段】
【０００４】  枕全体を先に丸みのある円柱にて構成し、頭部を面ではなく点で支える状態で使用する。以上を特徴とする寝癖防止枕である。
【発明の効果】
【０００５】  頭部から水分が蒸発する際に面で押さえつけられていないので、寝癖がつくのを防止できる。
【発明を実施するための最良の形態】
【０００６】  以下、本発明の実施の形態について説明する。
（イ）枕全体の大きさのもととなる基板（１）の部分に、先に丸みのある長さの異なる円柱（２）を立てて配置する。
（ロ）側面から見ると円柱（２）は波状に配置されている。
本発明は以上のような構造で、これを使用するときは、枕の基板（１）側を下に、円柱（２）側を上に向け、就寝時の所定の場所に配置する。そして頭部をのせる。
【図面の簡単な説明】
【０００７】
【図１】  本発明の斜視図
【図２】  本発明の斜視図（部分）
【図３】  本発明の使用状態を示す側面図
【符号の説明】
【０００８】  １    基板
２    円柱
【図１】
2006136698.tif 000003
【図２】
2006136698.tif 000004
【図３】
2006136698.tif 000005
(57)【要約】【課題】  従来の調剤は固定型建築構造物内における移動不可能な調剤システムである為、患者が薬を入手するために固定型薬局施設にまで移動しなければならなかった。【解決手段】  移動型コンテナ・バス・トレーラーなどを改造した調剤施設を利用する。【選択図】  図１
2006136688.tif 000002
【特許請求の範囲】
【発明の詳細な説明】
【技術分野】
【０００１】本発明は移動可能な調剤システムに関する。
【背景技術】
【０００２】従来の調剤システムとしては、移動不可能な固定型建築構造物による調剤システムがある。
【発明の開示】
【発明が解決しようとする課題】
【０００３】  従来の調剤は固定型建築構造物内における移動不可能な調剤システムである為、患者が薬を入手するために固定型薬局施設にまで移動しなければならなかった。
【課題を解決するための手段】
【０００４】  移動型コンテナ・バス・トレーラーなどを改造した調剤施設を利用する。
【発明の効果】
【０００５】  調剤施設を移動可能型にするなら、患者に最も近い場所にて薬を調剤することが出来る。
したがって、緊急災害時には、すみやかに医療機関等の処方を応需可能となる。
【発明を実施するための最良の形態】
【０００６】  例えば建造物の多くが倒壊し、調剤等の医療提供が困難な災害地域に調剤施設を移動するなら、医療機関等の調剤等に敏速に対応可能であり、医薬品の安定供給を保つことが出来る。
または、立地条件により調剤応需が物理的に困難を強いられている医療機関に対し、すみやかに調剤業務が提供できる。
【図面の簡単な説明】
【０００７】
【図１】移動式調剤施設を示した平面図である。
【符号の説明】
１投薬・服薬指導机
２薬歴棚
３錠剤棚
４分包器
５散剤棚
６換気扇
７水剤棚
８金庫
９冷所
１０監査机
１１鍵付扉
１２レセコン
１３出入口
【図１】
2006136688.tif 000003
【手続補正書】
【提出日】平成17年1月21日(2005.1.21)
【手続補正１】
【補正対象書類名】特許請求の範囲
【補正対象項目名】全文
【補正方法】追加
【補正の内容】
【特許請求の範囲】
【請求項１】
調剤室や調剤設備等が完備された移動可能型建築構造物。
(57)【要約】      （修正有）【課題】低コストで壊れ難く、また環境にも配慮し製作資材に溶融スラグを使用した、色彩豊かな施設用ピラミッド構造の足踏み健康遊具とその製造方法を提供する。【解決手段】（１）突起部５と土台部６をシリコン製型枠１にとり、樹脂２と溶融スラグ３を流し込むことにより一体化し、突起部と土台部の分離を防ぐ。（２）土台部をピラミッド構造にし土台部自体に立体構造をもたせ、平面構造と交互に設置することでより強いマッサージ効果を得る。（３）土台部及び突起部分の色種を変更することで、様々な景観に合致することを可能とする。（４）シリコン製型枠の突起部先端に凸部分をつくり、出来上がった突起部の凹部分に天然鉱石等を接着すること少ない天然鉱石等量で遠赤外線効果が得られる。【選択図】図１
2006136690.tif 000002
【特許請求の範囲】
【請求項１】
シリコンの型枠に樹脂と溶融スラグを流し込むことにより、突起部と土台部が一体化した足踏み健康遊具。
【請求項２】
突起先端部分に遠赤外線を放射する天然鉱石等を埋め込むことで、踏むだけで血行の促進や体液の循環を活発にする足踏み健康遊具。
【請求項３】
土台部をピラミッド構造にすることで土台部自体に立体構造をもたせ、平面構造と交互に設置することでより強いマッサージ効果を得られる足踏み健康遊具。
【請求項４】
製品表面が樹脂による加工がされるため、汚れが付着しにくい性質をもつ足踏み健康遊具。
【請求項５】
製品をブロック化し、移動や設置を容易化した足踏み健康遊具。
【請求項６】
土台部及び突起部に溶融スラグを使用しリサイクル度を重視した足踏み健康遊具。
【請求項７】
土台部及び突起部分の色種を変更することで、様々な景観に合致することが可能な足踏み健康遊具。
【発明の詳細な説明】
【技術分野】
【０００１】本発明は、溶解スラグをリサイクル利用し突起部と土台部が一体化したピラミッド構造を用いた施設用足踏み健康遊具及びその製造方法に関する。
【背景技術】
【０００２】従来の天然鉱石等を利用した施設用足踏み健康遊具は、例えば、実用新案文献１，２記載のような突起部と土台部を接着固定し立体構造を作り上げたものが知られている。【０００３】
【特許文献１】      実用新案出願２００２−６３２１
【特許文献２】      実用新案出願２００２−４１４３
【発明の開示】
【発明が解決しようとする課題】
【０００４】特許文献１，２の天然鉱石等の土台部と突起部を接着固定する方式では、接合状態の不備や長年の磨耗により土台部と突起部が分離してしまう恐れがある。また、突起部全てに天然鉱石を使用しても、土台部に埋め込まれた部分や突起部の下方部は足裏に触れないため、天然鉱石効果を発揮できないばかりか、コストも高くなる。【０００５】特許文献１，２ともに土台部上部の突起部による立体構造のみで、土台部は平面構造のままで、足裏への刺激は単調になる。また天然鉱石では色調に限界があり、例えば公園や広場の景観に合致しないことがある。【０００６】そこで、本発明は低コストで壊れ難く、また環境にも配慮し製作資材に溶融スラグを使用した、色彩豊かな施設用ピラミッド構造の足踏み健康遊具とその製造方法を目的とする。
【課題を解決するための手段】
【０００７】本発明の足踏み健康遊具は、突起部と土台部をシリコン製型枠にとり、樹脂と溶融スラグを流し込むことにより一体化し、突起部と土台部の分離を防ぐものである。【０００８】シリコン製型枠の突起部先端に凸部分をつくり、出来上がった突起部の凹部分に天然鉱石等を接着すること少ない天然鉱石等量で遠赤外線効果が得られる。【０００９】土台部をピラミッド構造にすることで土台部自体に立体構造をもたせ、平面構造と交互に設置することでより強いマッサージ効果を得ることを可能とする。【００１０】土台部及び突起部分の色種を変更することで、様々な景観に合致することを可能とする。【００１１】土台部及び突起部に溶融スラグを使用し環境に配慮した製品となる。
【発明を実施するための最良の形態】
【００１２】図１は本発明の製造方法と、製品の概略を示したものである。（ａ）はシリコン製の型枠の正面図であり、突起部の型が枠取られている。（ｂ）はシリコン製の型枠に溶融スラグと樹脂を流しこみ突起部と土台部の一体化したものを整形し、（ｃ）はその完成正面図となり、土台部はピラミッド構造となる。【００１３】図１の（ｄ）は本発明品平面図である。数箇所の突起部に天然鉱石等を接合する。また同じく（ｄ）の５突起部、６土台部は、樹脂に染色剤を混合することで、任意の色彩をつけることが可能である。【００１４】図２の（ｅ）はシリコン型枠の突起部を拡大した正面図である。予めシリコン型枠の突起部先端部分に凸を整形しておき、製品側に天然鉱石等接着用の凹を作る。【００１５】図２の（ｆ）は本発明製品突起部を拡大した正面図である。突起部に作った凹部分に天然鉱石等を接着したものである。
【実施例】
【００１６】図３の（ｇ）は本発明品ピラミッド構造と平面構造を並列した正面図である。平面構造とピラミッド構造の併用によって、刺激に強弱を与える。
【産業上の利用可能性】
【００１７】往来の公園や広場等には、子供向けの遊具やアスレチックなどの施設はあるが一般の大人や高齢者が健康増進のために使用できる施設がない。そこで本発明は簡単な設置で、健康的な遊具として広く使用可能である。また、公園や広場等だけでなく、温泉等のレジャー施設や、病院及びリハビリ施設等での利用が期待される。
【発明の効果】
【００１８】  本発明により、以下の効果を奏することができる。
【００１９】シリコンの型枠に樹脂と溶融スラグを流し込むことにより、突起部と土台部が一体化し突起部の分離がなくなった。
【００２０】突起先端部分に遠赤外線を放射する天然鉱石等を埋め込むことで、天然鉱石等の使用量を少なくしコストを抑えることができる。
【００２１】土台部をピラミッド構造にすることで土台部自体に立体構造をもたせ、平面構造と交互に設置することでより強いマッサージ効果を得られる。
【００２２】製品表面には樹脂を用いているため水分の吸収がなく、雨が降っても水をはじき表面がすばやく乾燥する特徴をもち、汚れが付着しにくい性質を有するため、野外でのすばやい設置または使用が可能となる。
【００２３】製品をブロック化し、移動や設置が容易化となる。
【００２４】土台部及び突起部に溶融スラグをリサイクルし地球環境に配慮した製品となる。
【００２５】土台部及び突起部分の色種を変更することで、様々な景観に合致できる。
【図面の簡単な説明】
【００２６】
【図１】  （ａ）（ｂ）（ｃ）は本発明の製造方法の側面図、（ｄ）は完成製品正面図である。
【図２】  （ｅ）はシリコン型枠の突起部拡大側面図であり、（ｆ）は完成製品の突起部側面図である。
【図３】  （ｇ）は本発明ピラミッド構造と平面構造を併設した側面図である。
【符号の説明】
【００２７】  １    シリコン型枠
２    樹脂
３    溶融スラッグ
４    天然鉱石等
５    突起部
６    土台部
７    シリコン型枠
８    シリコン型枠
９    天然鉱石等
１０  樹脂及び溶融スラグ
【図１】
2006136690.tif 000003
【図２】
2006136690.tif 000004
【図３】
2006136690.tif 000005